(57)【要約】【課題】ユーザに大きな手間を掛けさせることなく２つのカメラを切り替える。【解決手段】撮影部（１４）は、インカメラ（４）が設けられた面と平行な仮想的な基準面における携帯端末（１）の回転動作に応じてインカメラ（４）とアウトカメラ（６）とを切り替えて使用することによって被写体を撮影する。【選択図】図１
2015198359.tif 000002
【特許請求の範囲】
【請求項１】
第１の面に設けられる表示部と、
上記第１の面に設けられる第１のカメラと、
上記第１の面に対向する第２の面に設けられる第２のカメラと、
上記第１の面に平行な仮想的な基準面内の携帯端末の回転動作を検出する回転動作検出手段と、
上記回転動作検出手段が検出した上記回転動作に応じて上記第１のカメラと上記第２のカメラとを切り替えて使用することによって被写体を撮影する撮影手段とを備えていることを特徴とする携帯端末。
【請求項２】
上記回転動作検出手段が、上記第１のカメラが上記基準面内の基準方向における携帯端末の一方側から他方側に移動する上記回転動作を検出したとき、上記撮影手段は、使用する上記カメラを上記第２のカメラから上記第１のカメラに切り替え、
上記回転動作検出手段が、上記第１のカメラが上記基準方向における携帯端末の上記他方側から一方側に移動する上記回転動作を検出したとき、上記撮影手段は、使用する上記カメラを上記第１のカメラから上記第２のカメラに切り替えることを特徴とする請求項１に記載の携帯端末。
【請求項３】
上記第１のカメラは、上記第１の面内の第１の端部領域に設けられており、
上記第２のカメラは、上記第２の面内において、上記第１の面内の上記第１の端部領域に対向する第２の端部領域の反対側にある第３の端部領域に設けられていることを特徴とする請求項２に記載の携帯端末。
【請求項４】
加速度センサと、
上記加速度センサの出力に基づき、携帯端末の姿勢を検出する姿勢検出手段とをさらに備え、
上記回転動作検出手段は、上記姿勢検出手段が検出した上記姿勢の変化に基づき上記回転動作を検出することを特徴とする請求項１から３のいずれか１項に記載の携帯端末。
【請求項５】
請求項１〜４のいずれか１項に記載の携帯端末としてコンピュータを機能させるためのプログラムであって、コンピュータを上記各手段として機能させるためのプログラム。
【発明の詳細な説明】
【技術分野】
【０００１】
本発明は、撮影機能を有する携帯端末に関する。
【背景技術】
【０００２】
従来、撮影機能を有する携帯端末が広く普及している。近年では、ユーザがディスプレイを見ながら、ユーザが見ているものまたはユーザ自身をディスプレイに写しつつ、撮影することができる携帯端末も開発されている。その一例として、特許文献１には、撮影窓を備えたカメラモジュールを裏返して差し替え可能な携帯端末装置が開示されている。
【０００３】
また、従来、一般的な水準の技術として、表示面およびその裏面にそれぞれ独立して設けられた２つのカメラを備えた携帯端末も知られている。
【先行技術文献】
【特許文献】
【０００４】
【特許文献１】特開２００５−１５０９６０号公報（２００５年６月９日公開）
【特許文献２】特開２０１１−１８２３３９号公報（２０１１年９月１５日公開）
【発明の概要】
【発明が解決しようとする課題】
【０００５】
しかし特許文献１の技術には、撮影方向を切り替えるために、カメラモジュールを本体から外して１８０度回転させ、再度、本体に取り付ける必要がある。そのため、ユーザにとって大きな手間となる。
【０００６】
一方、２つのカメラを備えた従来の携帯端末では、ユーザには、撮影に用いるカメラを切り替えるために、タッチパネルに対する特定のタッチ操作を行う必要がある。これもやはりユーザにとっては大きな手間となる。
【０００７】
本発明は、上記問題に鑑みてなされたものであり、その目的は、ユーザに大きな手間を掛けさせずに２つのカメラを切り替えられる携帯端末を提供することにある。
【課題を解決するための手段】
【０００８】
上記の課題を解決するために、本発明の一態様に係る携帯端末は、第１の面に設けられる表示部と、上記第１の面に設けられる第１のカメラと、上記第１の面に対向する第２の面に設けられる第２のカメラと、上記第１の面に平行な仮想的な基準面内の携帯端末の回転動作を検出する回転動作検出手段と、上記回転動作検出手段が検出した上記回転動作に応じて上記第１のカメラと上記第２のカメラとを切り替えて使用することによって被写体を撮影する撮影手段とを備えていることを特徴とする。
【発明の効果】
【０００９】
本発明の一態様によれば、ユーザに大きな手間を掛けさせずに２つのカメラを切り替えられるという効果を奏する。
【図面の簡単な説明】
【００１０】
【図１】第１の実施形態に係る携帯端末の要部構成を示すブロック図である。
【図２】第１の実施形態に係る携帯端末の外観図である。
【図３】第１の実施形態に係る携帯端末の回転動作に応じたカメラ切り替えの具体例を示す図である。
【図４】第１の実施形態に係る携帯端末が実行するカメラ切り替え処理の流れを示すフローチャートである。
【図５】第２の実施形態に係る携帯端末の外観図である。
【図６】第２の実施形態に係る携帯端末の回転動作に応じたカメラ切り替えの具体例を示す図である。
【図７】第２の実施形態に係る携帯端末が実行するカメラ切り替え処理の流れを示すフローチャートである。
【発明を実施するための形態】
【００１１】
〔実施形態１〕
本発明に係る第１実施形態について、図１〜図４に基づいて以下に説明する。
【００１２】
まず、本実施形態に係る携帯端末１の概要を説明する。携帯端末１は、ユーザが手にもって操作可能な情報通信端末の一種であり、携帯電話機、スマートフォン、またはタブレット型端末などとして実現される、携帯端末１は撮影機能を有しており、ユーザは、携帯端末１を使用してユーザまたは物体などの被写体を撮影できる。
【００１３】
携帯端末１は、表示面およびその裏面にそれぞれ設けられた２つのカメラを備えている。ユーザは、いずれかのカメラを用いて被写体を撮影する。詳しくは後述するが、携帯端末１には、ユーザが携帯端末１を回転させるだけで、使用されるカメラを簡単に切り替えられるという利点がある。
【００１４】
（携帯端末１の構成および外観）
図１は、携帯端末１の要部構成を示すブロック図である。この図に示すように、携帯端末１は、ディスプレイ２（表示部）、インカメラ４、アウトカメラ６、加速度センサ８、および制御部１０を備えている。制御部１０は、姿勢検出部１１（姿勢検出手段）、回転動作検出部１２（回転動作検出手段）、カメラ選択部１３（撮影手段）、撮影部１４（撮影手段）、および表示制御部１５を備えている。
【００１５】
ディスプレイ２は、画像などの各種の情報を表示するための装置である。インカメラ４は、携帯端末１のユーザ自身の姿をディスプレイ２に写しながら、ユーザ自身を被写体として撮影するためのカメラである。一方、アウトカメラ６は、ユーザが見ているものを被写体として撮影するためのカメラである。加速度センサ８は、携帯端末１の重力加速度を取得するためのセンサである。
【００１６】
姿勢検出部１１は、取得された重力加速度に基づき携帯端末１の姿勢を検出する。回転動作検出部１２は、検出された姿勢の時間的変化に基づき、仮想的な基準面内の携帯端末１の回転動作を検出する。この基準面は、本実施形態では鉛直方向に平行な平面であるが、これには限定されない。カメラ選択部１３は、検出された姿勢または回転動作に基づき、使用するべきインカメラ４またはアウトカメラ６を選択する。どの姿勢が検出された場合にどのカメラを選択するか、および、どの回転動作が検出された場合にどのカメラを選択するかは、カメラ選択部１３において事前に設定されている。撮影部１４は、選択されたインカメラ４またはアウトカメラ６を使用して被写体を撮影する。撮影部１４は、使用するカメラをインカメラ４からアウトカメラ６に切り替えたり、またはアウトカメラ６からインカメラ４に切り替えたりすることもできる。表示制御部１５は、撮影部１４によって撮影された被写体の画像をディスプレイ２に表示する。
【００１７】
図２は、本実施形態に係る携帯端末１の外観図である。この図に示すように、ディスプレイ２は携帯端末１の面２０（第１の面）に設けられ、インカメラ４はディスプレイ２と同じく面２０に設けられている（図２の（ａ））。アウトカメラ６は面２０に対向する面２６に設けられている（図２の（ｂ））。インカメラ４は、面２０内の端部領域２２（第２の端部領域）に設けられている。一方、アウトカメラ６は、端部領域２２の反対側にある、面２６内の端部領域２８（第３の端部領域）に設けられている。
【００１８】
本実施形態では、上述した仮想的な基準面は、面２０および面２６と平行である。したがって回転動作検出部１２は、面２０および面２６と平行な基準面内の携帯端末１の回転動作を検出する。
【００１９】
なお、携帯端末１の外観は、図２に示すものに限定されない。例えば、面２０および面２６は、必ずしも平行な平面でなくてもよい。
【００２０】
（カメラ切り替え処理）
携帯端末１におけるカメラ切り替えの詳細について、図３および図４に基づき下記に説明する。図３は、携帯端末１の回転動作に応じたカメラ切り替えの具体例を示す図である。図４は、携帯端末１が実行するカメラ切り替え処理の流れを示すフローチャートである。
【００２１】
図４を参照して、携帯端末１は、ユーザによる所定の操作に基づき、カメラアプリケーションを起動する（Ｓ１）。カメラアプリケーションは、インカメラ４またはアウトカメラ６を使用して被写体を撮影しその画像を保存するためのソフトウェアである。次に携帯端末１は、カメラアプリケーションの起動時におけるカメラ選択処理を実行する（Ｓ２）。その手順は次の通りである。
【００２２】
まず加速度センサ８が、カメラアプリケーションの起動時の携帯端末１の重力加速度を取得する。次に姿勢検出部１１が、取得された重力加速度に基づき、携帯端末１の姿勢を検出する。次にカメラ選択部１３が、検出された姿勢に基づき、インカメラ４またはアウトカメラ６を選択する。具体的には、カメラ選択部１３は、携帯端末１の基準方向における下側（他方側）にインカメラ４が位置する姿勢が検出された場合、インカメラ４を選択する。一方、携帯端末１の基準方向における上側（一方側）にインカメラ４が位置する姿勢が検出された場合、アウトカメラ６を選択する。基準方向は、本実施形態では鉛直方向のことであるが、これには限定されない。ここでいう「上側」および「下側」とは、それぞれ、携帯端末１を基準面内の基準方向（本実施形態では鉛直方向）と直交する線で二等分した場合の、携帯端末１におけるより地面から遠い側および携帯端末１におけるより地面に近い側のことである。カメラ選択部１３は選択結果を撮影部１４に通知し、撮影部１４は、選択されたインカメラ４またはアウトカメラ６を使用して被写体の撮影を開始する。
【００２３】
図３の（ａ）は、カメラアプリケーション起動直後の携帯端末１を示す。この例では携帯端末１は、携帯端末１の鉛直方向における下側にインカメラ４が位置する姿勢を取っている。したがって撮影部１４はアウトカメラ６を使用して物体３０を撮影し、その画像３２を生成して表示制御部１５に出力する。表示制御部１５は画像３２をディスプレイ２に表示する。
【００２４】
携帯端末１は、起動時のカメラ選択処理を完了し、インカメラ４またはアウトカメラ６を使用した撮影を開始した後、携帯端末１の回転動作に応じて、使用するカメラを切り替える。その手順は次の通りである。
【００２５】
カメラアプリケーションの実行中に、加速度センサ８が、携帯端末１の重力加速度を取得する（Ｓ３）。次に姿勢検出部１１が、取得された重力加速度に基づき、携帯端末１の姿勢を検出する（Ｓ４）。次に回転動作検出部１２が、検出された姿勢の時間的変化に基づき、鉛直方向に平行な平面における携帯端末１の回転動作を検出する。また、回転動作検出部１２は、インカメラ４が鉛直方向における携帯端末１の上側から下側に移動する回転動作を検出したか否かを判定する（Ｓ５）。
【００２６】
ユーザが、図３の（ａ）に示す姿勢の携帯端末１を、鉛直方向に平行な平面内で１８０度回転させることによって、図３の（ｂ）に示す姿勢に変化させた場合、Ｓ５においてＹＥＳとなる。このときカメラ選択部１３はインカメラ４を選択し、その旨を撮影部１４に通知する。この結果、撮影部１４は、使用するカメラをアウトカメラ６からインカメラ４に切り替える（Ｓ６）。撮影部１４は、切り替えたインカメラ４を使用してユーザを撮影し（Ｓ７）、その画像３４を生成して表示制御部１５に出力する。表示制御部１５は、図３の（ｂ）に示すように、ユーザの画像３４をディスプレイ２に表示する（Ｓ８）。これらの一連の処理の結果、ディスプレイ２に表示される画像が、物体３０の画像３２からユーザの画像３４に切り替わる。
【００２７】
一方、Ｓ５においてＮＯなら、回転動作検出部１２は、インカメラ４が鉛直方向における携帯端末１の下側から上側に移動する回転動作を検出したか否かを判定する（Ｓ９）。ユーザが、図３の（ｂ）に示す姿勢の携帯端末１を、鉛直方向に平行な平面内で１８０度回転させることによって、図３の（ｃ）に示す姿勢に変化させた場合、Ｓ６においてＹＥＳとなる。このときカメラ選択部１３はアウトカメラ６を選択し、その旨を撮影部１４に通知する。この結果、撮影部１４は、使用するカメラをインカメラ４からアウトカメラ６に切り替える（Ｓ１０）。撮影部１４は、切り替えたアウトカメラ６を使用して物体３０を撮影し（Ｓ７）、その画像３２を生成して表示制御部１５に出力する。表示制御部１５は、物体３０の画像３２をディスプレイ２に表示する（Ｓ８）。これらの一連の処理の結果、ディスプレイ２に表示される画像が、ユーザの画像３４から物体３０の画像３２に切り替わる。
【００２８】
一方、Ｓ６においてＮＯなら、カメラを切り替えるべき姿勢の変化が、携帯端末１に起こっていない。このとき撮影部１４は、使用するカメラを切り替えず、現在使用中のインカメラ４またはアウトカメラ６をそのまま使用して撮影を続ける。
【００２９】
画像３２または画像３４の表示後、携帯端末１は、カメラアプリケーションを終了したか否かを判定する（Ｓ１１）。Ｓ１１においてＹＥＳの場合、図４に示す処理は終了する。一方、Ｓ１１においてＮＯの場合、図４に示す処理はＳ３に戻り、加速度センサ８が再び重力加速度を取得する。すなわち携帯端末１は、カメラアプリケーションの実行中、Ｓ３〜Ｓ１１の各工程を繰り返し実行する。
【００３０】
ユーザは、ディスプレイ２に表示される画像３２または画像３４を見ながら、適当なタイミングで画像３２または画像３４の保存を携帯端末１に指示する。撮影部１４は、指示されたタイミングで生成した画像３２または画像３４を、規定の保存領域（たとえば携帯端末１のメモリ）に保存する。
【００３１】
（本実施形態の利点）
以上のように、携帯端末１は、自身の回転動作に基づきインカメラ４とアウトカメラ６とを切り替えて使用することによって、被写体を撮影する。ユーザは、鉛直方向に平行な平面内で携帯端末１を回転させるという簡単な操作のみで、インカメラ４とアウトカメラ６とを切り替えることができる。すなわちユーザは、インカメラ４とアウトカメラ６とを切り替えるために、タッチパネルに対する特定のタッチ操作を行う必要がない。したがって携帯端末１は、ユーザに大きな手間を掛けさせることなく２つのカメラを切り替えることができる。
【００３２】
また、携帯端末１は、加速度センサ８が取得した重力加速度に基づき携帯端末１の姿勢を検出し、さらに、検出された姿勢の変化に基づき携帯端末１の回転動作を検出する。したがって携帯端末１は、回転動作を検出するための特殊な部品を必要としない。この結果、携帯端末１を安価に製造することができる。
【００３３】
〔実施形態２〕
本発明に係る第２の実施形態について、図５〜７に基づいて以下に説明する。なお、上述した第１の実施形態と共通する各部材には同じ符号を付し、詳細な説明を省略する。
【００３４】
本実施形態に係る携帯端末１の構成は、基本的に第１の実施形態に係る携帯端末１と同一である。しかし、インカメラ４が設けられている位置、および、カメラ切り替え処理の内容が異なる。
【００３５】
図５は、本実施形態に係る携帯端末１の外観図である。インカメラ４が面２０に設けられ（図２の（ａ））、かつアウトカメラ６が面２６に設けられている（図２の（ｂ））点は、第１の実施形態と同じである。しかし本実施形態では、インカメラ４は、面２０内の端部領域２４（第１の端部領域）に設けられている。一方、アウトカメラ６は、面２０内の端部領域２４に対向する端部領域２２の反対側にある、面２６内の端部領域２８に設けられている。
【００３６】
（カメラ切り替え処理）
携帯端末１におけるカメラ切り替えの詳細について、図６および図７に基づき下記に説明する。図６は、携帯端末１の回転動作に応じたカメラ切り替えの具体例を示す図である。図７は、携帯端末１が実行するカメラ切り替え処理の流れを示すフローチャートである。
【００３７】
図７を参照して、携帯端末１は、ユーザによる所定の操作に基づき、カメラアプリケーションを起動する（Ｓ２１）。次に携帯端末１は、カメラアプリケーションの起動時におけるカメラ選択処理を実行する（Ｓ２２）。その手順は次の通りである。
【００３８】
まず加速度センサ８が、携帯端末１の重力加速度を取得する。次に姿勢検出部１１が、取得された重力加速度に基づき、携帯端末１の姿勢を検出する。次にカメラ選択部１３が、検出された姿勢に基づき、インカメラ４またはアウトカメラ６を選択する。具体的には、カメラ選択部１３は、携帯端末１の基準方向（本実施形態では鉛直方向）における上側（他方側）にインカメラ４が位置する姿勢が検出された場合、インカメラ４を選択する。一方、携帯端末１の基準方向（本実施形態では鉛直方向）における下側（一方側）にインカメラ４が位置する姿勢が検出された場合、アウトカメラ６を選択する。カメラ選択部１３は選択結果を撮影部１４に通知し、撮影部１４は、選択されたインカメラ４またはアウトカメラ６を使用して被写体の撮影を開始する。
【００３９】
図６の（ａ）は、カメラアプリケーション起動直後の携帯端末１を示す。この例では携帯端末１は、インカメラ４が携帯端末１の鉛直方向における下側に位置する姿勢を取っている。したがって撮影部１４はアウトカメラ６を使用して物体３０を撮影し、その画像３２を生成して表示制御部１５に出力する。表示制御部１５は画像３２をディスプレイ２に表示する。
【００４０】
携帯端末１は、起動時のカメラ選択処理を完了し、インカメラ４またはアウトカメラ６を使用した撮影が開始した後、携帯端末１の回転動作に応じて、使用するカメラを切り替える。その手順は次の通りである。
【００４１】
カメラアプリケーションの実行中に、加速度センサ８が、携帯端末１の重力加速度を取得する（Ｓ２３）。次に姿勢検出部１１が、取得された重力加速度に基づき、携帯端末１の姿勢を検出する（Ｓ２４）。次に回転動作検出部１２が、検出された姿勢の時間的変化に基づき、鉛直方向に平行な平面における携帯端末１の回転動作を検出する。また、回転動作検出部１２は、インカメラ４が鉛直方向における携帯端末１の下側から上側に移動する回転動作を検出したか否かを判定する（Ｓ２５）。
【００４２】
ユーザが、図６の（ａ）に示す姿勢の携帯端末１を、鉛直方向に平行な平面内で１８０度回転させることによって、図６の（ｂ）に示す姿勢に変化させた場合、Ｓ２５においてＹＥＳとなる。このときカメラ選択部１３はインカメラ４を選択し、その旨を撮影部１４に通知する。この結果、撮影部１４は、使用するカメラをアウトカメラ６からインカメラ４に切り替える（Ｓ２６）。撮影部１４は、切り替えたインカメラ４を使用してユーザを撮影し（Ｓ２７）、その画像３４を生成して表示制御部１５に出力する。表示制御部１５は、図６の（ｂ）に示すように、ユーザの画像３４をディスプレイ２に表示する（Ｓ２８）。すなわち、ディスプレイ２に表示される画像が、物体３０の画像３２からユーザの画像３４に切り替わる。
【００４３】
一方、Ｓ２５においてＮＯなら、回転動作検出部１２は、インカメラ４が鉛直方向における携帯端末１の上側から下側に移動する回転動作を検出したか否かを判定する（Ｓ２９）。ユーザが、図６の（ｂ）に示す姿勢の携帯端末１を、鉛直方向に平行な平面内で１８０度回転させることによって、図６の（ｃ）に示す姿勢に変化させた場合、Ｓ２９においてＹＥＳとなる。このときカメラ選択部１３はアウトカメラ６を選択し、その旨を撮影部１４に通知する。この結果、撮影部１４は、使用するカメラをインカメラ４からアウトカメラ６に切り替える（Ｓ３０）。撮影部１４は、切り替えたアウトカメラ６を使用して物体３０を撮影し（Ｓ２７）、その画像３２を生成して表示制御部１５に出力する。表示制御部１５は、物体３０の画像３２をディスプレイ２に表示する（Ｓ２８）。すなわち、ディスプレイ２に表示される画像が、ユーザの画像３４から物体３０の画像３２に切り替わる。
【００４４】
一方、Ｓ２９においてＮＯなら、カメラを切り替えるべき姿勢の変化が、携帯端末１に起こっていない。このとき撮影部１４は、使用するカメラを切り替えず、現在使用中のインカメラ４またはアウトカメラ６をそのまま使用して撮影を続ける。
【００４５】
画像３２または画像３４の表示後、携帯端末１は、カメラアプリケーションを終了したか否かを判定する（Ｓ３１）。Ｓ３１においてＹＥＳの場合、図７に示す処理は終了する。一方、Ｓ３１においてＮＯの場合、図７に示す処理はＳ２３に戻り、加速度センサ８が再び重力加速度を取得する。すなわち携帯端末１は、カメラアプリケーションの実行中、Ｓ２３〜Ｓ３１の各工程を繰り返し実行する。
【００４６】
（本実施形態の利点）
以上のように、本実施形態に係る携帯端末１は、インカメラ４が携帯端末１の鉛直方向における上側に位置するとき、インカメラ４を使用してユーザを撮影する。一方、インカメラ４が携帯端末１の鉛直方向における下側に位置するとき、アウトカメラ６を使用して物体３０を撮影する。この結果、ユーザが、インカメラ４を通じてユーザ自身を撮影するとき、インカメラ４は携帯端末１の鉛直方向における上側に位置するので、下側を持つユーザの手がインカメラ４に映り込むことを防止することができる。また、ユーザを上方から容易に撮影することもできる。
【００４７】
また、インカメラ４も、アウトカメラ６も、携帯端末１の鉛直方向における上側に位置するときに使用される。すなわち、使用時のインカメラ４のユーザに対する相対的な位置は、使用時のアウトカメラ６のユーザに対する相対的な位置と、あまり変わらない。したがってユーザは、切り替え後のインカメラ４またはアウトカメラ６の位置の違いを気にせずに、同じ要領で物体３０またはユーザ自身の撮影することができる。
【００４８】
〔ソフトウェアによる実現例〕
携帯端末１の制御ブロック（特に制御部１０）は、集積回路（ＩＣチップ）等に形成された論理回路（ハードウェア）によって実現してもよいし、ＣＰＵ（Central Processing Unit）を用いてソフトウェアによって実現してもよい。
【００４９】
後者の場合、携帯端末１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）等を備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路等を用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【００５０】
〔まとめ〕
本発明の態様１に係る携帯端末は、第１の面（面２０）に設けられる表示部（ディスプレイ２）と、上記第１の面に設けられる第１のカメラ（インカメラ４）と、上記第１の面に対向する第２の面（面２６）に設けられる第２のカメラ（アウトカメラ６）と、上記第１の面に平行な仮想的な基準面内の携帯端末の回転動作を検出する回転動作検出手段（回転動作検出部１２）と、上記回転動作に応じて上記第１のカメラと上記第２のカメラとを切り替えて使用することによって被写体を撮影する撮影手段（撮影部１４）とを備えている。
【００５１】
上記の構成によれば、携帯端末は、自身の回転動作に基づき第１のカメラと第２のカメラとを切り替えて使用することによって、被写体を撮影する。ユーザは、携帯端末を基準面内で回転させるという簡単な操作のみで、第１のカメラと第２のカメラとを切り替えることができる。すなわちユーザは、第１のカメラと第２のカメラとを切り替えるために、例えば、タッチパネルに対する特定のタッチ操作を行う必要がない。したがって携帯端末は、ユーザに大きな手間を掛けさせることなく２つのカメラを切り替えることができる。
【００５２】
本発明の態様２に係る携帯端末は、上記態様１において、上記回転動作検出手段が、上記第１のカメラが上記基準面内の基準方向における携帯端末の一方側から他方側に移動する上記回転動作を検出したとき、上記撮影手段は、使用する上記カメラを上記第２のカメラから上記第１のカメラに切り替え、上記回転動作検出手段が、上記第１のカメラが上記基準方向における携帯端末の上記他方側から上記一方側に移動する上記回転動作を検出したとき、上記撮影手段は、使用する上記カメラを上記第１のカメラから上記第２のカメラに切り替えてもよい。
【００５３】
上記の構成によれば、携帯端末は、第１のカメラが携帯端末の基準方向（例えば鉛直方向）における他方側（例えば上側）に位置するとき、第１のカメラを使用してユーザを撮影する。一方、第１のカメラが携帯端末の基準方向における一方側（例えば下側）に位置するとき、第２のカメラを使用して被写体を撮影する。この結果、ユーザが、第１のカメラを通じてユーザ自身を撮影するとき、第１のカメラは携帯端末の基準方向における他方側に位置するので、一方側を持つユーザの手が第１のカメラに映り込むことを防止することができる。また、ユーザを上方から容易に撮影することもできる。
【００５４】
本発明の態様３に係る携帯端末は、上記態様２において、上記第１のカメラは、上記第１の面内の第１の端部領域に設けられており、上記第２のカメラは、上記第１の面内の上記第１の端部領域に対向する第２の端部領域の反対側にある、上記第２の面内の第３の端部領域に設けられていてもよい。
【００５５】
上記の構成によれば、第１のカメラも、第２のカメラも、携帯端末の基準方向における他方側に位置するときに、使用される。すなわち、使用時の第１のカメラのユーザに対する相対的な位置と、使用時の第２のカメラのユーザに対する相対的な位置とは、あまり変わらない。したがってユーザは、切り替え後の第１のカメラまたは第２のカメラの位置の違いを気にせずに、同じ要領で被写体を撮影することができる。
【００５６】
本発明の態様４に係る携帯端末は、上記態様１から３のいずれかにおいて、加速度センサと、上記加速度センサの出力に基づき、携帯端末の姿勢を検出する姿勢検出手段（姿勢検出部１１）とをさらに備え、上記回転動作検出手段は、上記姿勢検出手段が検出した上記姿勢の変化に基づき上記回転動作を検出してもよい。
【００５７】
上記に構成によれば、携帯端末は、加速度センサが取得した重力加速度に基づき携帯端末の姿勢を検出し、さらに、検出された姿勢の変化に基づき携帯端末の回転動作を検出する。したがって携帯端末は、回転動作を検出するための特殊な部品を必要としない。この結果、携帯端末を安価に製造することができる。
【００５８】
本発明の各態様に係る携帯端末は、コンピュータによって実現してもよい。この場合、コンピュータを上記携帯端末が備える各手段として動作させることにより上記携帯端末をコンピュータにて実現させる携帯端末のプログラム、およびそれを記録したコンピュータ読み取り可能な記録媒体も、本発明の範疇に入る。
【００５９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【００６０】
本発明は、インカメラおよびアウトカメラを備えた携帯端末として利用することができる。
【符号の説明】
【００６１】
１  携帯端末、２  ディスプレイ（表示部）、４  インカメラ（第１のカメラ）、６  アウトカメラ（第２のカメラ）、８  加速度センサ、１１  姿勢検出部（姿勢検出手段）、１２  回転動作検出部（回転動作検出手段）、１３  カメラ選択部（撮影手段）、１４  撮影部（撮影手段）
【図１】
2015198359.tif 000003
【図２】
2015198359.tif 000004
【図３】
2015198359.tif 000005
【図４】
2015198359.tif 000006
【図５】
2015198359.tif 000007
【図６】
2015198359.tif 000008
【図７】
2015198359.tif 000009